(57)【特許請求の範囲】
【請求項１】
固定ユニットと、
前記固定ユニットに対して回動自在に設けられ、前記固定ユニットと対峙して記録媒体の搬送路を形成する可動ユニットとを備えたプリンタであって、
前記可動ユニットは、印字部を有する印字ヘッドと、前記印字部との間で印字用リボンを摺動可能に挟持するとともに、印字に際しては前記印字用リボンを案内するために前記印字部との間に僅かな間隙を形成する第１の位置にあり、前記印字用リボンの交換に際しては前記印字部との間に十分な間隙を形成する第２の位置にあるリボン案内手段とを有し、
前記可動ユニットの回動に連動して、前記可動ユニットを前記固定ユニットに対して開いたとき及び閉じたときに前記リボン案内手段をそれぞれ前記第２の位置及び前記第１の位置に移動させる連結手段をさらに備え、
前記連結手段は、前記プリンタが動作可能な第１の状態と、前記プリンタに詰まった記録媒体を除去可能な第２の状態と、前記プリンタの前記印字用リボンを交換可能な第３の状態とを選択的に確定し得るように構成され、
前記プリンタが前記第１又は第２の状態にあるときには前記リボン案内手段は前記第１の位置に位置決めされ、前記プリンタが前記第３の状態にあるときには前記リボン案内手段は前記第２の位置に位置決めされることを特徴とするプリンタ。
【請求項２】
前記印字用リボンはリボンカセット内に収容されており、
前記リボン案内手段に連動して前記リボンカセットを上下動させる手段を更に備えたことを特徴とする請求項１記載のプリンタ。
【請求項３】
前記リボンカセットは前記印字用リボンを繰り出す繰り出し口と前記印字用リボンを繰り込む繰り込み口とを有しており、
前記プリンタが前記第３の状態にあるときには、前記印字用リボンが前記繰り出し口と前記繰り込み口との間で略直線状になるように前記リボンカセットが位置決めされることを特徴とする請求項２記載のプリンタ。
【発明の詳細な説明】
【０００１】
【産業上の利用分野】
本発明は一般的に金融機関で使用される印字装置等のプリンタに関し、更に詳しくはリボン交換時の作業を簡単且つ迅速に行うためのプリンタに於けるリボンマスク開放機構に関する。
【０００２】
近年、銀行等の金融機関では、通帳、伝票等の印字媒体を挿入し、未記帳データ等の必要なデータを印字する印字装置が広く普及している。この装置におけるジャム等の障害の復旧や、インクリボンの交換は、銀行の行員が行う。従って、不慣れな行員であっても簡単にリボンを交換できるように交換作業の簡略化が要求されている。印字ヘッドの先端印字部の下側には、リボンを案内・保持するためのリボンマスクが取り付けてあり、印字ヘッドとリボンマスクとの隙間が狭くリボン交換の際の妨げとなってしまうため、印字用リボンの交換作業に際しては、リボンマスクを大きく開口することが要求される。
【０００３】
【従来の技術】
従来、シャフトに摺動可能に支持されて水平方向に移動可能なキャリッジと、キャリッジに搭載された印字ヘッドと、印字ヘッドの先端印字部に沿って案内される印刷用リボンと、印刷用リボンを案内・保持するリボンマスクとを備えたプリンタが一般的に使用されている。
【０００４】
また、上述のリボンマスクの開放機構としては、リボンの搬送方向に対して垂直な軸を中心としてリボンマスクを斜めに傾斜させて、印字ヘッドの先端印字部とリボンマスクとの間に隙間を設けるようにしたものが公知である。
【０００５】
【発明が解決しようとする課題】
上述の従来のリボンマスク開放機構によると、リボンの交換作業が煩雑であり、しかもその作業に長時間を要する。また、リボンが正しくプリンタにセットされないことがある。
【０００６】
よって、本発明の目的は、リボンの交換作業を円滑に行うことができ且つリボンを正しい位置にセットすることができるプリンタのリボンマスク開放機構を提供することにある。
【０００７】
【課題を解決するための手段】
本発明によると、固定ユニットと、前記固定ユニットに対して回動自在に設けられ、前記固定ユニットと対峙して記録媒体の搬送路を形成する可動ユニットとを備えたプリンタであって、前記可動ユニットは、印字部を有する印字ヘッドと、前記印字部との間で印字用リボンを摺動可能に挟持するとともに、印字に際しては前記印字用リボンを案内するために前記印字部との間に僅かな間隙を形成する第１の位置にあり、前記印字用リボンの交換に際しては前記印字部との間に十分な間隙を形成する第２の位置にあるリボン案内手段とを有し、前記可動ユニットの回動に連動して、前記可動ユニットを前記固定ユニットに対して開いたとき及び閉じたときに前記リボン案内手段をそれぞれ前記第２の位置及び前記第１の位置に移動させる連結手段をさらに備え、前記連結手段は、前記プリンタが動作可能な第１の状態と、前記プリンタに詰まった記録媒体を除去可能な第２の状態と、前記プリンタの前記印字用リボンを交換可能な第３の状態とを選択的に確定し得るように構成され、前記プリンタが前記第１又は第２の状態にあるときには前記リボン案内手段は前記第１の位置に位置決めされ、前記プリンタが前記第３の状態にあるときには前記リボン案内手段は前記第２の位置に位置決めされることを特徴とするプリンタが提供される。
本発明のプリンタにおいては、印字に際してはリボン案内手段が印字部との間に僅かな間隙を形成する第１の位置に位置し、印字用リボンの交換に際してはリボン案内手段が印字部との間に十分な間隙を形成する第２の位置に位置するようにしているので、印字用リボンの交換作業を円滑に行うことができる。
また、可動ユニットの回動に連動して、可動ユニットを固定ユニットに対して開いたとき及び閉じたときにそれぞれ第２の位置及び第１の位置を確定する連結手段を採用しているので、操作性が向上する。
【００１０】
【実施例】
以下、本発明の実施例を添付図面に従って詳細に説明する。
図１は本発明を適用可能な通帳印字装置の斜視図である。この通帳印字装置は、通帳２が水平方向に挿入される挿入口４を有する装置本体６と、顧客の口座番号及び取引内容等を操作入力するキーボード８と、操作処理内容が表示されるディスプレイ１０とを備えている。
【００１１】
装置本体６は図示しないコンピュータセンタに回線で接続されている。本発明が適用される通帳プリンタは装置本体６内に設けられている。
また、図２は本発明を適用可能な自動取引装置の斜視図である。この自動取引装置には、通帳を挿入する通帳挿入口１０２と、キャッシュカードを挿入するカード挿入口１０４と、紙幣を挿入、排出する紙幣投出口１０６と、硬貨を挿入、排出する硬貨投出口１０８と、取引を遂行するために顧客に案内を出すためのディスプレイ及び取引を遂行するために必要な情報を入力するためのタッチキーボードを含む顧客操作部１１０とが設けられている。
【００１２】
この自動取引装置は、顧客装置部１１０を顧客が操作することにより、入金、出金、振込、記帳、残高照会等の取引を行員の手を介することなく行うものである。
【００１３】
図３に通帳プリンタの内部側面図を示す。同図において、１２は搬送路、１４は印字ヘッド、１６は印字ヘッド１４の先端印字部１４Ａに対向するプラテン、１８は印字ヘッド１４とプラテン１６の間に設けられるリボンマスク、２０は送りローラである。
【００１４】
テラー（行員）が通帳２を挿入口４（図１参照）から矢印Ａ方向に挿入すると、通帳２はローラ２０によって搬送路１２を搬送されて、磁気ストライプリーダ１３によって口座番号が読み出された後、読み取りセンサ２２によってページ及び印字可能行が確認されて、リボンマスク１８とプラテン１６の間のプリンタ部にセットされる。
【００１５】
ここでキーボード８（図１参照）を操作して金額等を入力すると入力内容がディスプレイ１０に表示される。これを確認して確認ボタンを押すと、コンピュータセンタとの交信が行われ、印字部１４Ａによって通帳２に取引データが印字される。印字が終了すると、通帳２は挿入口４に排出される。
【００１６】
また、自動取引装置には、図３に記載したのと同様な通帳印字装置が設けられており、記帳が必要な場合には、顧客は、通帳を通帳挿入口より挿入して、まだ通帳に印字されていない取引履歴である未記帳データを通帳に印字させる。つまり、記帳取引、或いは入金・出金取引時に通帳の有ることが顧客操作部より選択された場合、通帳を通帳挿入口より挿入するように顧客操作部に案内を表示する。
【００１７】
顧客が通帳挿入口より通帳を矢印Ａ方向に挿入すると、通帳はローラによって搬送路を搬送されて、磁気ストライプリーダより通帳の磁気ストライプに記録された口座番号等を読み出し、通帳の正当性を確認するとともにコンピュータと交信する。更に、読み取りセンサによってページ及び印字可能行が確認され、今回の取引データと共にコンピュータから送信されてきた未記帳データを通帳に印字する。印字が終了すると通帳は層に挿入口より搬出される。
【００１８】
図４により従来のリボンマスク開放機構を説明する。従来の通帳プリンタにおける印刷用リボンの交換は、図４に示されるように、リボンマスク２４を担持しているブラケット２６を片側支点２７を中心として斜めに傾けることで、印字ヘッド１４の先端印字部１４Ａとリボンマスク２４との間に隙間を設けてリボン２８の交換を行っていた。
【００１９】
即ち、図４において、符号２４は印字時の位置にあるリボンマスクを示し、符号２４’はブラケット２６を矢印Ｂの方向に押し下げた時の位置を示す。リボン２８は印字部１４Ａとリボンマスク２４との間を通っており、リボンマスク２４の印字部１４Ａに対向する部分には開口が設けられている。
【００２０】
尚、図４において、符号３０は印字ヘッド１４が搭載されるキャリヤを示している。
図５及び図６はそれぞれリボンマスクが閉じた状態を示す通帳プリンタの正面図及び側面図、図７及び図８はそれぞれリボンマスクが開いた状態を示す通帳プリンタの正面図及び側面図である。尚、図６及び図８においては、図面の明瞭さを確保するために、キャリヤがフレーム側から分離して図示されている点に留意されたい。
【００２１】
この通帳プリンタは、固定フレーム３２と、固定フレーム３２に対して回動可能に設けられた可動フレーム３４と、可動フレーム３４に横架されたシャフト３６とを有している。印字ヘッド１４が搭載されるキャリッジ３８は、シャフト３６に摺動可能に支持される。
【００２２】
固定フレーム３２はその付随部分と共に固定ユニット３３を構成し、可動フレーム３４はその付随部分と共に可動ユニット３５を構成する。固定ユニット３３上の可動ユニット３５の記録媒体挿入方向手前側にはフロントフレーム３７が固定フレーム３２に対して開閉可能に設けられており、フロントフレーム３７及び可動ユニット３５と固定ユニット３３との間には記録媒体の搬送路３９が形成される。
【００２３】
キャリッジ３８におけるシャフト３６の通帳挿入方向手前側にはシャフト３６と平行にこれとは別のシャフト４０が設けられており、このシャフト４０を回動軸としてリボンマスク４２が揺動可能に取り付けられている。
【００２４】
リボンマスク４２は、印刷に際しては、印刷用リボン２８を印字ヘッド１４の先端印字部１４Ａとリボンマスク４２との間に案内するために、印字部１４Ａとの間に僅かな間隙を形成する第１の位置（図６参照）に位置し、一方、印刷用リボンの交換に際しては、印字部１４Ａとの間に十分な間隙を形成する第２の位置（図８参照）に位置する。
【００２５】
リボンマスク４２にはリンク４４の下端が連結され、リンク４４の上端は、キャリッジ３８に設けられたシャフト４６に対して回動可能なレバー４８に連結されている。リンク４４の上端とキャリッジ３８との間には、リボンマスク４２を第２の位置から第１の位置に付勢するためにコイルスプリング５０が張架されている。従って、印字を行う場合には、リボンマスク４２は、コイルスプリング５０により付勢されているため、印字部１４Ａとの間に最適な間隙をもって位置決めされる。
【００２６】
尚、符号５２はキャリッジ３８に螺合される偏心した治具であるエキセンカラを表している。このエキセンカラ５２は印字部１４Ａと第１の位置にあるリボンマスク４２との間の僅かな間隙を微調整するためのものであり、第１の位置にあるリボンマスク４２の一部がこのエキセンカラ５２にコイルスプリング５０により付勢され、当接することにより、その間隙が決定される。
【００２７】
従って、印字部１４Ａとリボンマスク４２との間隙を調整する場合には、螺子を緩め、エキセンカラ５２を螺子を中心に回転させれば、エキセンカラ５２は偏心しているため螺子から外周までの距離が位置により異なるため、リボンマスク４２が当接するエキセンカラ５２の外周位置を決定することにより、印字部１４Ａとリボンマスク４２との間隙を決定することができる。そのため、簡単な操作で印字部１４Ａとリボンマスク４２との間隙を調整することができる。
【００２８】
レバー４８を押し下げると、レバー４８に連結しているリンク４４が下方向に押され、リンク４４に連結しているリボンマスク４２がシャフト４０を支点として下方向に開く。従って、この状態で印刷用リボンの交換を極めて容易に行うことができる。
【００２９】
レバー４８を押し下げている力を解除すると、コイルスプリング５０の付勢力（それ自身が縮もうとする力）によりリンク４４が引上げられ、これに伴いリボンマスク４２は上方向に閉じる。この時のリボンマスク４２の位置はエキセンカラ５２によって決定される。この状態にあっては、コイルスプリング５０の付勢力によってリボンマスク４２とエキセンカラ５２の当接状態が維持されるので、印字部１４Ａとリボンマスク４２の間に印刷用リボンを案内するための僅かな間隙が正確に形成される。
【００３０】
ところで、この種の通帳プリンタにおいては、印刷媒体となる通帳の詰まり等を解除するために、可動フレーム３４の開閉動作を可能にする構成が採用されている。つまり、固定フレーム３２の上部分が搬送路３９の下部ガイドを形成しており、また、可動フレーム３４の底部分が搬送路３９の上部ガイドを形成している。
【００３１】
従って、この固定フレーム３２と可動フレーム３４とにより、搬送路３９が形成され、この搬送路中を通帳が搬送される。更に、可動フレームの左側（図６参照）には、フロントフレーム３７があり、イメージセンサ２２等が設けられている。このフロントフレーム３７の底部分も搬送路３９の上部ガイドを形成している。
【００３２】
従って、通帳が搬送路３９で詰まった場合には、可動フレーム３４を開放することにより、搬送路も開放され、詰まり等の障害が発生した通帳を取り除くことができる。この実施例では、可動フレーム３４の開閉動作に伴って自動的にリボンマスク４２の開閉が行われるようにしている。具体的には次の通りである。
【００３３】
可動フレーム３４はその側方に突出するスタッド５４を有している。符号５６は固定フレーム３２に回動可能に設けられたヒンジを表している。
ヒンジ５６は型抜きによるスタッド５４の案内部５６Ａを有している。案内部５６Ａの形状は、この通帳プリンタが動作可能な第１の状態と、プリンタに詰まった記録媒体（通帳）等を除去可能な第２の状態と、印刷用リボンを交換可能な第３の状態とを選択的に確定し得るように設定される。
【００３４】
第１の状態にあっては、スタッド５４はヒンジ５６の案内部５６Ａに対して相対的に図６に示されるような位置にあり、第２の状態にあっては、スタッド５４は図８に符号５４’で示される位置にあり、第３の状態にあっては、スタッド５４は図８に示される位置にある。
【００３５】
第１の状態で可動フレーム３４をロックするために、ロックレバー５８が可動フレーム３４に設けられた軸６０を中心に回動可能に設けられている。可動フレーム３４の上部にはシャフト６２が回動可能に設けられており、シャフト６２の両端及び中央部にはそれぞれカム６４及び把手６６が固定されている。
【００３６】
ロックレバー５８はその下端が図６において左方向に位置するようにコイルスプリング６８の付勢力を受けており、この状態にあってはロックレバー５８の下端の係止爪５８Ａが固定フレーム３２に取り付けられた図示しないピンに係止している。
【００３７】
把手６６を持ち上げると、この動作に連動してカム６４がロックレバー５８の上端を左方向に変位させ、これによりロックレバー５８による可動フレーム３４のロック状態が解除される。把手６６を持ち上げる力をさらに加えると、スタッド５４はヒンジの案内部５６Ａに沿って図７に符号５４’で示す位置に移動してここに着座する。この状態にあっては、リボンマスク４２は図６に示されるように閉じたままであるが、可動フレーム３４はある程度開いた状態になるので、搬送路３９も開放され、プリンタに詰まった記録媒体（通帳）を容易に除去することができる。
【００３８】
この第２の状態から印刷用リボンを交換可能な第３の状態にするには、把手６６をさらに持ち上げる。これに伴ってスタッド５４が図８に符号５４’で示す位置から符号５４で示す位置に変位する。この状態を維持するために、ヒンジ５６にはロック・解除部材６７が回動可能に設けられている。
【００３９】
次に、第２の状態から第３の状態に移行するに際しての各部の動作を説明する。第２の状態において把手６６を持ち上げようとする力が加えられると、ヒンジ５６の突起がカム６８に接触し、カム６８と連動しているリンク７０がレバー７２の右端を押し上げる。レバー７２は可動フレーム３４に設けられたシャフト７３を中心として揺動可能に設けられており、レバー７２の右端が持ち上げられるとレバー７２の左端は押し下げられ、これに伴いシャフト７４が下降する。
【００４０】
シャフト７４は可動フレーム３４に対して上下動可能に設けられたリボンフレーム７６と一体であり、シャフト７４が下降すると、これに連動してキャリッジ３８のレバー４８が押し下げられる。
【００４１】
このようにして、第２の状態から第３の状態に移行する動作に伴ってレバー４８が押し下げられ、自動的にリボンマスク４２が開放される（図８参照）。
ロック・解除部材６７を時計回り方向に回転させると、可動フレーム３４及びその付随部品の自重によってスタッド５４は図８に符号５４’で示す位置に移行して第２の状態となる。即ち、前述の動作とは逆の動作によって、リボンマスク４２が自動的に閉じるのである。
【００４２】
この実施例では、第２の状態から第３の状態に移行するのに従って、リボンフレーム７６が可動フレーム３４に対して相対的に下方向に変位するようにされている。その理由を説明する。
【００４３】
印刷用リボン２８は、図５及び図７によく示されるように、リボンカセット７８内に巻回して収容されている。リボンカセット７８は正面から見てその左右両端に下方に突出する一対のリボンアーム８０を有しており、リボンカセット７８内に収容された印刷用リボン２８はリボンアーム８０，８０間に張架されている。符号８２はリボンアーム８０，８０間に張架された印刷用リボン２８の弛みを防止するための手動巻取り用のつまみである。
【００４４】
リボンカセット７８は可動フレーム３４に対して上下動可能に設けられたリボンフレーム７６にセットされている。第１または第２の状態にあっては、リボンマスク４２は閉じており、この時にはリボンフレーム７６は可動フレーム３４に対して相対的に上方に位置し、リボンアーム８０の先端は印字ヘッド１４の先端印字部よりも僅かに上方に位置する。このため、印刷動作に際しては、リボンアーム８０，８０間の印刷用リボン２８に不所望な負荷が加わらない。
【００４５】
一方、第３の状態にあってリボンマスク４２が開いた状態においては、リボンフレーム７６は可動フレーム３４に対して相対的に下方に移動し、リボンアーム８０の先端は印字ヘッド１４の先端印字部よりも下方に位置する。このとき、リボンアーム８０，８０間のリボンは略直線状になるので、リボンカセット７８の交換を容易に行うことができる。
【００４６】
このようなリボンフレーム７６の上下動は、前述したレバー７２（図６及び図８７照）がシャフト７４を上下動させることに基づく。
尚、レバー７２はシャフト７４を押し下げるように作用し、リボンフレーム７６は上方向に図示しない付勢手段の付勢力を受けている。
【００４７】
以上の実施例では、リボンマスク４２を閉じる方向に付勢するためにコイルスプリング５０を用いているが、弾性体からなるリボンマスク４２を用いるとともに、このリボンマスクを軸４０に固定しておくことによってコイルスプリングを省略することができ、装置のコストダウンが可能になる。即ち、この場合にはリボンマスク４２それ自身の弾性復元力によって、リボンマスクは常に閉じる方向に付勢される。
【００４８】
また、以上の実施例では、リボンマスク４２をキャリッジ３８に対して揺動可能に設けるために、シャフト３６とは別にシャフト４０を設けているが、これらを兼用すれば部品点数を減らすことができ、コストダウンに貢献できる。その具体例を図９及び図１０により説明する。
【００４９】
図９は本発明の他の実施例を示すキャリッジの側面図、図１０はその正面図である。この実施例では、キャリッジ３８’を水平方向に移動可能に支持するためのシャフト３６にリボンマスク４２’を直接揺動可能に設けており、リボンマスク４２’はシャフト３６を回動軸として、図中の矢印Ｂ方向に回動する。
【００５０】
符号５２は閉じているリボンマスク４２’の位置決めを行うための前実施例と同様のエキセンカラを示している。エキセンカラ５２はそのフランジ部の偏心を利用した微小位置決め用のものである。この実施例においても、前実施例と同様、リボンマスク４２’は可動フレームの開閉動作に伴って回動する。
【００５１】
この実施例によると、リボンマスク４２’をキャリッジ３８’に対して揺動可能にするために、前実施例におけるようなシャフト３６とは別体のシャフトが不要である。従って、この実施例は装置構成の簡略化に寄与するところが大きい。
【００５２】
【発明の効果】
以上説明したように、本発明によると、リボンの交換作業を円滑に行うことができ、しかもリボンを正しい位置に容易にセットすることができるプリンタのリボンマスク開放機構の提供が可能になるという効果が生じる。
【図面の簡単な説明】
【図１】本発明を適用可能な通帳印字装置の斜視図である。
【図２】本発明を適用可能な自動取引装置の斜視図である。
【図３】通帳プリンタの側面図である。
【図４】従来のリボンマスク開放機構の説明図である。
【図５】本発明の実施例におけるリボンマスクが閉じた状態を示す正面図である。
【図６】本発明の実施例におけるリボンマスクが閉じた状態を示す側面図である。
【図７】本発明の実施例におけるリボンマスクが開いた状態を示す正面図である。
【図８】本発明の実施例におけるリボンマスクが開いた状態を示す側面図である。
【図９】本発明の他の実施例を示すキャリッジの側面図である。
【図１０】本発明の他の実施例を示すキャリッジの正面図である。
【符号の説明】
１４  印字ヘッド
１４Ａ  印字ヘッドの先端印字部
２８  印刷用リボン
３６  シャフト
３８  キャリッジ
４２  リボンマスク
４４  リンク
４８  レバー
５０  コイルスプリング
【図１】
0003731213.tif 000002
【図２】
0003731213.tif 000003
【図３】
0003731213.tif 000004
【図４】
0003731213.tif 000005
【図５】
0003731213.tif 000006
【図６】
0003731213.tif 000007
【図７】
0003731213.tif 000008
【図８】
0003731213.tif 000009
【図９】
0003731213.tif 000010
【図１０】
0003731213.tif 000011